(57)【要約】      （修正有）【課題】２つの恒温槽を有するプロセスガスクロマトグラフの一つの恒温槽を有効活用することにより小型化を実現したＶＯＣ測定システムを提供する。【解決手段】一台に２つの恒温槽を有するプロセスガスクロマトグラフにおいて、２つの恒温槽のうちの一つの恒温槽に気化器および除湿器を設け、除湿器で除湿された気体はカラムを経て検出器に送出するように構成した。【選択図】図１
2009145171.tif 000002
【特許請求の範囲】
【請求項１】
一台に２つの恒温槽を有するプロセスガスクロマトグラフにおいて、前記２つの恒温槽のうちの一つの恒温槽に気化器および除湿器を設けたことを特徴とする揮発性有機物測定システム。
【請求項２】
前記除湿器で除湿された気体はカラムを経て検出器に送出するように構成したことを特徴とする請求項１に記載の揮発性有機物測定システム。
【発明の詳細な説明】
【技術分野】
【０００１】
本発明は、２つの恒温槽を有する一般的なガスクロマトグラフ（以下ＰＧＣという）の一つの恒温槽をサンプリング装置として流用した揮発性有機物（以下ＶＯＣという）測定システムに関するものである。
【背景技術】
【０００２】
従来、揮発性有機物測定に際してはＰＧＣの前段にサンプリング装置を設け液体中に溶け込んだ微量のＶＯＣ成分を気化した後ＰＧＣに送り込んでいた。
図２はＰＧＣの前段に設けられたサンプリング装置２０の概略を示す構成図である。
【０００３】
図において、たとえば浄水場に流れ込むサンプル（原水）はろ過装置２１によりろ過される。ろ過された原水は弁２８を開閉することにより一定量がスパージャに送られる。スパージャ２１に流入した液体は例えば５０度程度に加熱され窒素ガスによりバブリングされ、気化されてサンプルに含まれるＶＯＣ成分がドレンセパレータ２４に送られる。
【０００４】
ドレンセパレータ２４で水分が取り除かれた気体は更に除湿器２５に送られて乾燥空気により水分１％以下に除湿される。除湿された気体はガスクロマトグラフ２６に送られてＶＯＣの濃度が測定される。
このようなＶＯＣ測定装置の従来例としては下記の特許文献が知られている。
【０００５】
【特許文献１】特開２００１−２６９６６０号公報
【発明の開示】
【発明が解決しようとする課題】
【０００６】
ところで、前述の従来例におけるのＶＯＣ測定に際しては、ＰＧＣの前段にＶＯＣを抽出するためのサンプリング装置が必要であり、ＶＯＣ測定システム装置の小形化が難しいという問題があった。
【０００７】
本発明は上記従来技術の問題点を解決するためになされたもので、２つの恒温槽を有するＰＧＣの一つの恒温槽を有効活用するすることにより小型化を実現したＶＯＣ測定システムを提供することを目的としている。
【課題を解決するための手段】
【０００８】
このような課題を達成するための本発明の揮発性有機物測定システムは、
一台に２つの恒温槽を有するプロセスガスクロマトグラフにおいて、前記２つの恒温槽のうちの一つの恒温槽に気化器および除湿器を設けたことを特徴とする。
【０００９】
請求項２においては、請求項１に記載の揮発性有機物測定システムにおいて、
前記除湿器で除湿された気体はカラムを経て検出器に送出するように構成したことを特徴とする。
【発明の効果】
【００１０】
以上説明したことから明らかなように本発明の請求項１，２によれば、次のような効果がある。２つの恒温槽を有するＰＧＣの一つの恒温槽をＶＯＣのサンプリング装置として活用することで小型化を実現することができる。
【発明を実施するための最良の形態】
【００１１】
図１は本発明の実施形態の一例を示すＶＯＣ測定システムの要部構成図である。
図１において、図２の従来例と同一要素には同一符号を付している。
Ａは第１恒温槽、Ｂは第１恒温槽内に配置された第２恒温槽である。１はろ過器２１からのサンプルの流路を切換える６方弁。
【００１２】
２はキャリアガスの流路を切換える第一４方弁、３は第一４方弁を通ったキャリアガスおよび絞り４を通らずに流入するキャリアガスの流路を切換える第二４方弁である。これら第一、第二４方弁は流路方向が同時に切換えられるようになっている。
【００１３】
２２はスパージャ、２５は除湿器であり第二恒温槽Ｂ内に配置されている。除湿器２５の出口はカラム６に接続されカラム６の出口は第二４方弁３に接続されている。５は第二４方弁に接続された検出器である。
【００１４】
上述の構成において、洗浄モードでは６方弁１、第一，第二４方弁２，３は実線で示す経路が導通状態となっている。そして、ろ過装置２１を通ったサンプルは６方弁１の接続口１から入り接続口６から出て計量管１ａを通り、接続口３から入り接続口２から出て排出されている。
【００１５】
また、キャリアガスは２方に分岐され一方は第一４方弁２の接続口７から入り接続口８から出て絞り４を通って第二４方弁３の接続口１４に入り接続口１３から出て検出器５を通って排出されている。絞り４はキャリアガスの消費量を制限する機能を有している。
【００１６】
分岐された他方のキャリアガスは第二４方弁３の接続口１１に入り接続口１２から出る。接続口１２から出たキャリアガスはカラム６の出口から入り除湿器２５およびスパージャ２２の出口から入って６方弁１の接続口５に入る。６方弁１の接続口５に入ったキャリアガスは接続口４から出て第一４方弁２の接続口１０に入り、接続口９から排出されている。
【００１７】
次に測定モードになると６方弁１及び第一，第二４方弁２，３は点線で示す経路に切り換わる。その結果、第一４方弁２の接続口７から入ったキャリアガスは接続口１０から出て６方弁１の接続口４に入り接続口３から出て計量管１ａ中のサンプルを押し出して接続口６に入り接続口５から出る。
【００１８】
６方弁１から出たサンプルは第２恒温槽Ｂ内に配置されたスパージャ２２で窒素ガスによりバブリングされ、サンプルに含まれる有機化合物が気化される。気化された有機化合物は除湿器２５で水分１％以下に除湿されカラム６を通って第二４方弁３の接続口１２に入り接続口１３から出て検出器５に搬送される。
【００１９】
一方第一４方弁２の前で分岐したキャリアガスは第二４方弁３の接続口１４に入り接続口１１から出て絞り４を通って第一４方弁２の接続口８から入って接続口９から排出される。
【００２０】
上述の構成によれば、一台に２つの恒温槽を有するプロセスガスクロマトグラフを用い、２つの恒温槽のうちの一つの恒温槽に気化器および除湿器を設け、ＶＯＣのサンプリング装置として活用することで小型化を実現することができる。
【００２１】
なお、以上の説明は、本発明の説明および例示を目的として特定の好適な実施例を示したに過ぎない。例えば実施例では第２恒温槽Ｂを第１恒温槽内に設けたが外側に配置されたものであってもよい。また、切換え弁として６方弁１及び４方弁２，３を用いたが同様に機能するものであれば実施例以外の弁であってもよい。また、図では省略したがスパージャと除湿器の間にドレンセパレータを設けてもよい。
従って本発明は、上記実施例に限定されることなく、その本質から逸脱しない範囲で更に多くの変更、変形を含むものである。
【図面の簡単な説明】
【００２２】
【図１】本発明を適用した揮発性有機物測定システムの要部構成図である。
【図２】従来の揮発性有機物測定システムの要部構成図である。
【符号の説明】
【００２３】
Ａ      第１恒温槽
Ｂ      第２恒温槽
１      ６方弁
２      第一４方弁
３      第二４方弁
４      絞り
５      検出器
６      カラム
２０    サンプリング装置
２１    ろ過装置
２２    スパージャ
２３    窒素ガスボンベ
２４    ドレンセパレータ
２５    除湿器
２６    ガスクロマトグラフ
２７    パソコン
２８    バルブ
【図１】
2009145171.tif 000003
【図２】
2009145171.tif 000004